【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
基地局によるワイヤレス通信の方法であって、
1つまたは複数のパラメータのパラメータ情報を判定するステップと、
前記パラメータ情報に基づいて、1つまたは複数の同期信号の送信用に複数の候補リソースから同期リソースを選択するステップであって、前記選択された同期リソースが前記パラメータ情報に対応する、ステップと、
前記選択された同期リソースを使用して前記1つまたは複数の同期信号を送信するステップとを含む方法。
【請求項２】
前記1つまたは複数のパラメータの前記パラメータ情報は、ビーム基準信号(BRS)送信パラメータのパラメータ値を含む、請求項1に記載の方法。
【請求項３】
前記1つまたは複数のパラメータの前記パラメータ情報は、サイクリックプレフィックス(CP)持続時間パラメータのパラメータ値を含み、前記CP持続時間パラメータは、拡張CP(ECP)が使用されているかそれともノーマルCP(NCP)が使用されているかを示す、請求項1に記載の方法。
【請求項４】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項2に記載の方法。
【請求項５】
前記1つまたは複数のパラメータの前記パラメータ情報は、デュプレックス構成パラメータのパラメータ値を含み、前記デュプレックス構成パラメータは、基地局が時分割複信(TDD)を利用しているかそれとも周波数分割複信(FDD)を利用しているかを示す、請求項1に記載の方法。
【請求項６】
前記複数の候補リソースから前記同期リソースを選択する前記ステップは、
前記同期リソース内の前記1つまたは複数の同期信号のうちの少なくとも2つの同期信号用のサブキャリアリソース間に位置するガードサブキャリアの数を選択するステップであって、前記ガードサブキャリアの数が前記パラメータ情報を示す、ステップを含み、
前記同期リソースは、前記ガードサブキャリアの数に基づいて選択される、請求項1に記載の方法。
【請求項７】
前記複数の候補リソースから前記同期リソースを選択する前記ステップは、
前記同期リソース内の前記1つまたは複数の同期信号のうちの少なくとも2つの同期信号の中心周波数間の距離を選択するステップを含み、
前記同期リソースは、前記中心周波数間の前記距離に基づいて選択される、請求項1に記載の方法。
【請求項８】
前記複数の候補リソースから前記同期リソースを選択する前記ステップは、
前記同期リソース内の前記1つまたは複数の同期信号のうちの少なくとも1つの同期信号用のサブキャリアリソースの位置を判定するステップであって、前記サブキャリアリソースの前記位置が前記パラメータ情報を示す、ステップを含み、
前記同期リソースは、前記サブキャリアリソースの前記位置に基づいて選択される、請求項1に記載の方法。
【請求項９】
前記複数の候補リソースから前記同期リソースを選択する前記ステップは、
前記1つまたは複数の同期信号のうちの少なくとも2つの同期信号の順序を判定するステップであって、前記順序が前記パラメータ情報を示す、ステップを含み、
前記同期リソースは、前記1つまたは複数の同期信号のうちの前記少なくとも2つの同期信号の前記順序に基づいて選択される、請求項1に記載の方法。
【請求項１０】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項1に記載の方法。
【請求項１１】
前記1つまたは複数の同期信号は、1つまたは複数のミリメートル波(MMW)ビームを介して送信される、請求項1に記載の方法。
【請求項１２】
ユーザ機器(UE)によるワイヤレス通信の方法であって、
複数の候補リソースにおいて1つまたは複数の同期信号を検出するステップと、
前記複数の候補リソースにおいて前記1つまたは複数の同期信号が検出される同期リソースを判定するステップと、
前記判定された同期リソースに基づいて1つまたは複数のパラメータのパラメータ情報を判定するステップであって、前記判定された同期リソースが前記パラメータ情報に対応する、ステップとを含む方法。
【請求項１３】
前記1つまたは複数のパラメータの前記パラメータ情報は、ビーム基準信号(BRS)送信パラメータのパラメータ値を含む、請求項12に記載の方法。
【請求項１４】
前記1つまたは複数のパラメータの前記パラメータ情報は、サイクリックプレフィックス(CP)持続時間パラメータのパラメータ値を含み、前記CP持続時間パラメータは、拡張CP(ECP)が使用されているかそれともノーマルCP(NCP)が使用されているかを示す、請求項12に記載の方法。
【請求項１５】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項13に記載の方法。
【請求項１６】
前記1つまたは複数のパラメータの前記パラメータ情報は、デュプレックス構成パラメータのパラメータ値を含み、前記デュプレックス構成パラメータは、基地局が時分割複信(TDD)を利用しているかそれとも周波数分割複信(FDD)を利用しているかを示す、請求項13に記載の方法。
【請求項１７】
前記1つまたは複数のパラメータの前記パラメータ情報を判定するステップは、
前記同期リソース内の前記1つまたは複数の同期信号のうちの少なくとも2つの同期信号を送信するためのサブキャリアリソース間に位置するガードサブキャリアの数に基づいて前記パラメータ情報を判定するステップであって、前記ガードサブキャリアの数が前記パラメータ情報を示す、ステップを含む、請求項12に記載の方法。
【請求項１８】
前記1つまたは複数のパラメータの前記パラメータ情報を判定するステップは、
前記同期リソース内の前記1つまたは複数の同期信号のうちの少なくとも2つの同期信号の中心周波数間の距離に基づいて前記パラメータ情報を判定するステップを含む、請求項12に記載の方法。
【請求項１９】
前記1つまたは複数のパラメータの前記パラメータ情報を判定するステップは、
前記同期リソース内の前記1つまたは複数の同期信号のうちの少なくとも1つの同期信号用のサブキャリアリソースの位置に基づいて前記パラメータ情報を判定するステップであって、前記サブキャリアリソースの前記位置が前記パラメータ情報を示す、ステップを含む、請求項12に記載の方法。
【請求項２０】
前記1つまたは複数のパラメータの前記パラメータ情報を判定するステップは、
前記1つまたは複数の同期信号のうちの少なくとも2つの同期信号の順序に基づいて前記パラメータ情報を判定するステップであって、前記順序が前記パラメータ情報を示す、ステップを含む、請求項12に記載の方法。
【請求項２１】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項12に記載の方法。
【請求項２２】
前記1つまたは複数の同期信号は、1つまたは複数のミリメートル波(MMW)ビームを介して送信される、請求項12に記載の方法。
【請求項２３】
ワイヤレス通信のための基地局であって、
1つまたは複数のパラメータのパラメータ情報を判定するための手段と、
前記パラメータ情報に基づいて、1つまたは複数の同期信号の送信用に複数の候補リソースから同期リソースを選択するための手段であって、前記選択された同期リソースが前記パラメータ情報に対応する、手段と、
前記選択された同期リソースを使用して前記1つまたは複数の同期信号を送信するための手段とを備える基地局。
【請求項２４】
前記1つまたは複数のパラメータの前記パラメータ情報は、ビーム基準信号(BRS)送信パラメータのパラメータ値を含む、請求項23に記載の基地局。
【請求項２５】
前記1つまたは複数のパラメータの前記パラメータ情報は、サイクリックプレフィックス(CP)持続時間パラメータのパラメータ値を含み、前記CP持続時間パラメータは、拡張CP(ECP)が使用されているかそれともノーマルCP(NCP)が使用されているかを示す、請求項23に記載の基地局。
【請求項２６】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項24に記載の基地局。
【請求項２７】
前記1つまたは複数のパラメータの前記パラメータ情報は、デュプレックス構成パラメータのパラメータ値を含み、前記デュプレックス構成パラメータは、基地局が時分割複信(TDD)を利用しているかそれとも周波数分割複信(FDD)を利用しているかを示す、請求項23に記載の基地局。
【請求項２８】
前記複数の候補リソースから前記同期リソースを選択するための前記手段は、
前記同期リソース内の前記1つまたは複数の同期信号のうちの少なくとも2つの同期信号用のサブキャリアリソース間に位置するガードサブキャリアの数を選択することであって、前記ガードサブキャリアの数が前記パラメータ情報を示す、ことを行うようにさらに構成され、
前記同期リソースは、前記ガードサブキャリアの数に基づいて選択される、請求項23に記載の基地局。
【請求項２９】
前記複数の候補リソースから前記同期リソースを選択するための前記手段は、
前記同期リソース内の前記1つまたは複数の同期信号のうちの少なくとも2つの同期信号の中心周波数間の距離を選択するようにさらに構成され、
前記同期リソースは、前記中心周波数間の前記距離に基づいて選択される、請求項23に記載の基地局。
【請求項３０】
前記複数の候補リソースから前記同期リソースを選択するための前記手段は、
前記同期リソース内の前記1つまたは複数の同期信号のうちの少なくとも1つの同期信号用のサブキャリアリソースの位置を判定することであって、前記サブキャリアリソースの前記位置が前記パラメータ情報を示す、ことを行うようにさらに構成され、
前記同期リソースは、前記サブキャリアリソースの前記位置に基づいて選択される、請求項23に記載の基地局。
【請求項３１】
前記複数の候補リソースから前記同期リソースを選択するための前記手段は、
前記1つまたは複数の同期信号のうちの少なくとも2つの同期信号の順序を判定することであって、前記順序が前記パラメータ情報を示す、ことを行うようにさらに構成され、
前記同期リソースは、前記1つまたは複数の同期信号のうちの前記少なくとも2つの同期信号の前記順序に基づいて選択される、請求項23に記載の基地局。
【請求項３２】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項23に記載の基地局。
【請求項３３】
前記1つまたは複数の同期信号は、1つまたは複数のミリメートル波(MMW)ビームを介して送信される、請求項23に記載の基地局。
【請求項３４】
ワイヤレス通信のためのユーザ機器(UE)であって、
複数の候補リソースにおいて1つまたは複数の同期信号を検出するための手段と、
前記複数の候補リソースにおいて前記1つまたは複数の同期信号が検出される同期リソースを判定するための手段と、
前記判定された同期リソースに基づいて1つまたは複数のパラメータのパラメータ情報を判定するための手段であって、前記判定された同期リソースが前記パラメータ情報に対応する、手段とを備えるUE。
【請求項３５】
前記1つまたは複数のパラメータの前記パラメータ情報は、ビーム基準信号(BRS)送信パラメータのパラメータ値を含む、請求項34に記載のUE。
【請求項３６】
前記1つまたは複数のパラメータの前記パラメータ情報は、サイクリックプレフィックス(CP)持続時間パラメータのパラメータ値を含み、前記CP持続時間パラメータは、拡張CP(ECP)が使用されているかそれともノーマルCP(NCP)が使用されているかを示す、請求項34に記載のUE。
【請求項３７】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項35に記載のUE。
【請求項３８】
前記1つまたは複数のパラメータの前記パラメータ情報は、デュプレックス構成パラメータのパラメータ値を含み、前記デュプレックス構成パラメータは、基地局が時分割複信(TDD)を利用しているかそれとも周波数分割複信(FDD)を利用しているかを示す、請求項34に記載のUE。
【請求項３９】
前記1つまたは複数のパラメータの前記パラメータ情報を判定するための前記手段は、
前記同期リソース内の前記1つまたは複数の同期信号のうちの少なくとも2つの同期信号を送信するためのサブキャリアリソース間に位置するガードサブキャリアの数に基づいて前記パラメータ情報を判定することであって、前記ガードサブキャリアの数が前記パラメータ情報を示す、ことを行うようにさらに構成される、請求項34に記載のUE。
【請求項４０】
前記1つまたは複数のパラメータの前記パラメータ情報を判定するための前記手段は、
前記同期リソース内の前記1つまたは複数の同期信号のうちの少なくとも2つの同期信号の中心周波数間の距離に基づいて前記パラメータ情報を判定するようにさらに構成される、請求項34に記載のUE。
【請求項４１】
前記1つまたは複数のパラメータの前記パラメータ情報を判定するための前記手段は、
前記同期リソース内の前記1つまたは複数の同期信号のうちの少なくとも1つの同期信号用のサブキャリアリソースの位置に基づいて前記パラメータ情報を判定することであって、前記サブキャリアリソースの前記位置が前記パラメータ情報を示す、ことを行うようにさらに構成される、請求項34に記載のUE。
【請求項４２】
前記1つまたは複数のパラメータの前記パラメータ情報を判定するための前記手段は、
前記1つまたは複数の同期信号のうちの少なくとも2つの同期信号の順序に基づいて前記パラメータ情報を判定することであって、前記順序が前記パラメータ情報を示す、ことを行うようにさらに構成される、請求項34に記載のUE。
【請求項４３】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項34に記載のUE。
【請求項４４】
前記1つまたは複数の同期信号は、1つまたは複数のミリメートル波(MMW)ビームを介して送信される、請求項34に記載のUE。
【請求項４５】
ワイヤレス通信のための基地局であって、
メモリと、
前記メモリに結合された少なくとも1つのプロセッサとを備え、前記プロセッサが、
1つまたは複数のパラメータのパラメータ情報を判定することと、
前記パラメータ情報に基づいて、1つまたは複数の同期信号の送信用に複数の候補リソースから同期リソースを選択することであって、前記選択された同期リソースが前記パラメータ情報に対応する、ことと、
前記選択された同期リソースを使用して前記1つまたは複数の同期信号を送信することとを行うように構成される基地局。
【請求項４６】
前記1つまたは複数のパラメータの前記パラメータ情報は、ビーム基準信号(BRS)送信パラメータのパラメータ値を含む、請求項45に記載の基地局。
【請求項４７】
前記1つまたは複数のパラメータの前記パラメータ情報は、サイクリックプレフィックス(CP)持続時間パラメータのパラメータ値を含み、前記CP持続時間パラメータは、拡張CP(ECP)が使用されているかそれともノーマルCP(NCP)が使用されているかを示す、請求項45に記載の基地局。
【請求項４８】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項46に記載の基地局。
【請求項４９】
前記1つまたは複数のパラメータの前記パラメータ情報は、デュプレックス構成パラメータのパラメータ値を含み、前記デュプレックス構成パラメータは、基地局が時分割複信(TDD)を利用しているかそれとも周波数分割複信(FDD)を利用しているかを示す、請求項47に記載の基地局。
【請求項５０】
前記複数の候補リソースから前記同期リソースを選択するように構成された前記少なくとも1つのプロセッサは、
前記同期リソース内の前記1つまたは複数の同期信号のうちの少なくとも2つの同期信号用のサブキャリアリソース間に位置するガードサブキャリアの数を選択することであって、前記ガードサブキャリアの数が前記パラメータ情報を示す、ことを行うように構成され、
前記同期リソースは、前記ガードサブキャリアの数に基づいて選択される、請求項45に記載の基地局。
【請求項５１】
前記複数の候補リソースから前記同期リソースを選択するように構成された前記少なくとも1つのプロセッサは、
前記同期リソース内の前記1つまたは複数の同期信号のうちの少なくとも2つの同期信号の中心周波数間の距離を選択するように構成され、
前記同期リソースは、前記中心周波数間の前記距離に基づいて選択される、請求項45に記載の基地局。
【請求項５２】
前記複数の候補リソースから前記同期リソースを選択するように構成された前記少なくとも1つのプロセッサは、
前記同期リソース内の前記1つまたは複数の同期信号のうちの少なくとも1つの同期信号用のサブキャリアリソースの位置を判定することであって、前記サブキャリアリソースの前記位置が前記パラメータ情報を示す、ことを行うようにさらに構成され、
前記同期リソースは、前記サブキャリアリソースの前記位置に基づいて選択される、請求項45に記載の基地局。
【請求項５３】
前記複数の候補リソースから前記同期リソースを選択するように構成された前記少なくとも1つのプロセッサは、
前記1つまたは複数の同期信号のうちの少なくとも2つの同期信号の順序を判定することであって、前記順序が前記パラメータ情報を示す、ことを行うように構成され、
前記同期リソースは、前記1つまたは複数の同期信号のうちの前記少なくとも2つの同期信号の前記順序に基づいて選択される、請求項45に記載の基地局。
【請求項５４】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項45に記載の基地局。
【請求項５５】
前記1つまたは複数の同期信号は、1つまたは複数のミリメートル波(MMW)ビームを介して送信される、請求項45に記載の基地局。
【請求項５６】
ワイヤレス通信のためのユーザ機器(UE)であって、
メモリと、
前記メモリに結合された少なくとも1つのプロセッサとを備え、前記プロセッサが、
複数の候補リソースにおいて1つまたは複数の同期信号を検出することと、
前記複数の候補リソースにおいて前記1つまたは複数の同期信号が検出される同期リソースを判定することと、
前記判定された同期リソースに基づいて1つまたは複数のパラメータのパラメータ情報を判定することであって、前記判定された同期リソースが前記パラメータ情報に対応する、こととを行うように構成されるUE。
【請求項５７】
前記1つまたは複数のパラメータの前記パラメータ情報は、ビーム基準信号(BRS)送信パラメータのパラメータ値を含む、請求項56に記載のUE。
【請求項５８】
前記1つまたは複数のパラメータの前記パラメータ情報は、サイクリックプレフィックス(CP)持続時間パラメータのパラメータ値を含み、前記CP持続時間パラメータは、拡張CP(ECP)が使用されているかそれともノーマルCP(NCP)が使用されているかを示す、請求項56に記載のUE。
【請求項５９】
前記BRS送信パラメータは、BRS送信インジケータまたはBRS構成パラメータのうちの少なくとも一方を含み、前記BRS送信インジケータは、BRS送信がトリガされているかどうかを示し、BRS構成パラメータは、BRSの送信用のリソースを示す、請求項56に記載のUE。
【請求項６０】
前記1つまたは複数のパラメータの前記パラメータ情報は、デュプレックス構成パラメータのパラメータ値を含み、前記デュプレックス構成パラメータは、基地局が時分割複信(TDD)を利用しているかそれとも周波数分割複信(FDD)を利用しているかを示す、請求項56に記載のUE。
【請求項６１】
前記1つまたは複数のパラメータの前記パラメータ情報を判定するように構成された前記少なくとも1つのプロセッサは、
前記同期リソース内の前記1つまたは複数の同期信号のうちの少なくとも2つの同期信号を送信するためのサブキャリアリソース間に位置するガードサブキャリアの数に基づいて前記パラメータ情報を判定することであって、前記ガードサブキャリアの数が前記パラメータ情報を示す、ことを行うようにさらに構成される、請求項56に記載のUE。
【請求項６２】
前記1つまたは複数のパラメータの前記パラメータ情報を判定するように構成された前記少なくとも1つのプロセッサは、
前記同期リソース内の前記1つまたは複数の同期信号のうちの少なくとも2つの同期信号の中心周波数間の距離に基づいて前記パラメータ情報を判定することを行うようにさらに構成される、請求項56に記載のUE。
【請求項６３】
前記1つまたは複数のパラメータの前記パラメータ情報を判定するように構成された前記少なくとも1つのプロセッサは、
前記同期リソース内の前記1つまたは複数の同期信号のうちの少なくとも1つの同期信号用のサブキャリアリソースの位置に基づいて前記パラメータ情報を判定することであって、前記サブキャリアリソースの前記位置が前記パラメータ情報を示す、ことを行うようにさらに構成される、請求項56に記載のUE。
【請求項６４】
前記1つまたは複数のパラメータの前記パラメータ情報を判定するように構成された前記少なくとも1つのプロセッサは、
前記1つまたは複数の同期信号のうちの少なくとも2つの同期信号の順序に基づいて前記パラメータ情報を判定することであって、前記順序が前記パラメータ情報を示す、ことを行うようにさらに構成される、請求項56に記載のUE。
【請求項６５】
前記1つまたは複数の同期信号は、プライマリ同期信号(PSS)、セカンダリ同期信号(SSS)、拡張同期信号(ESS)、ビーム基準信号(BRS)、または物理ブロードキャストチャネル(PBCH)信号のうちの少なくとも1つを含む、請求項56に記載のUE。
【請求項６６】
前記1つまたは複数の同期信号は、1つまたは複数のミリメートル波(MMW)ビームを介して送信される、請求項56に記載のUE。
【請求項６７】
基地局用のコンピュータ実行可能コードを記憶するコンピュータ可読記憶媒体であって、プロセッサによって実行されると、前記プロセッサに、
1つまたは複数のパラメータのパラメータ情報を判定することと、
前記パラメータ情報に基づいて、1つまたは複数の同期信号の送信用に複数の候補リソースから同期リソースを選択することであって、前記選択された同期リソースが前記パラメータ情報に対応する、ことと、
前記選択された同期リソースを使用して前記1つまたは複数の同期信号を送信することとを行わせるためのコードを含むコンピュータ可読記憶媒体。
【請求項６８】
ユーザ機器(UE)用のコンピュータ実行可能コードを記憶するコンピュータ可読記憶媒体であって、プロセッサによって実行されると、前記プロセッサに、
複数の候補リソースにおいて1つまたは複数の同期信号を検出することと、
前記複数の候補リソースにおいて前記1つまたは複数の同期信号が検出される同期リソースを判定することと、
前記判定された同期リソースに基づいて1つまたは複数のパラメータのパラメータ情報を判定することであって、前記判定された同期リソースが前記パラメータ情報に対応する、こととを行わせるためのコードを含むコンピュータ可読記憶媒体。